(57)【要約】【課題】印字位置の確認を素早く行うことが可能な画像形成装置を提供する。【解決手段】画像形成装置は、シートに形成する画像の印字位置を調整することができる。画像形成手段は、シートの種類に応じて、印字位置の調整後に行う確認プリントの枚数が予め設定される用紙ライブラリを格納する。画像形成装置は、印刷ジョブに応じて画像を形成しているときに確認プリントの実行が指示されると、当該印刷ジョブで用いるシートの種類に応じた確認プリントの枚数を用紙ライブラリを参照して判断し、当該枚数のシートへの確認プリントを行う（Ｓ１９０４）。【選択図】図１９
2018084597.tif 000002
【特許請求の範囲】
【請求項１】
シートに画像を形成する画像形成手段と、
前記画像の印字位置を前記画像形成手段に調整させる印字位置調整手段と、
シートの種類に応じて、印字位置の調整後に行う確認プリントの枚数が予め設定される用紙ライブラリと、
印刷ジョブに応じて前記画像形成手段に画像を形成させているときに確認プリントの実行が指示されると、当該印刷ジョブで用いるシートの種類に応じた確認プリントの枚数を前記用紙ライブラリを参照することで判断し、前記画像形成手段に、当該枚数のシートへの確認プリントを行わせる制御手段と、を備えることを特徴とする、
画像形成装置。
【請求項２】
前記制御手段は、前記印字位置調整手段により印字位置の調整が行われていれば、前記画像形成手段に前記印刷ジョブで用いるシートの種類に応じた枚数のシートへの確認プリントを行わせ、印字位置の調整が行われていなければ、前記画像形成手段に１枚のシートへの確認プリントを行わせることを特徴とする、
請求項１記載の画像形成装置。
【請求項３】
前記制御手段は、前記印字位置調整手段により印字位置の調整が行われていなければ、前記画像形成手段に、現在印刷しているページの画像に基づく画像をシートに印刷させることで確認プリントを行わせることを特徴とする、
請求項２記載の画像形成装置。
【請求項４】
前記制御手段は、前記印字位置調整手段により印字位置の調整が行われており、実行中の印刷ジョブが第１の種類であれば、前記画像形成手段に該印刷ジョブで用いるシートの種類に応じた枚数のシートへの確認プリントを行わせ、実行中の印刷ジョブが第２の種類であれば、前記画像形成手段に２枚のシートへの確認プリントを行わせることを特徴とする、
請求項１〜３のいずれか１項記載の画像形成装置。
【請求項５】
前記制御手段は、前記実行中の印刷ジョブの種類がシート間の印字位置の確認が必要でない種類であれば、前記画像形成手段に該印刷ジョブで用いるシートの種類に応じた枚数のシートへの確認プリントを行わせ、前記実行中の印刷ジョブの種類がシート間の印字位置の確認が必要な種類であれば、前記画像形成手段に２枚のシートへの確認プリントを行わせることを特徴とする、
請求項４記載の画像形成装置。
【請求項６】
前記制御手段は、前記画像形成手段に２枚のシートへの確認プリントを行わせる場合に、現在印刷しているページに連続する２ページの画像に基づく画像を、該２枚のシートに印刷させることで確認プリントを行わせることを特徴とする、
請求項４又は５記載の画像形成装置。
【請求項７】
前記制御手段は、前記画像形成手段に前記シートへ印字位置確認用の線を含む画像を形成させることで、確認プリントを行わせることを特徴とする、
請求項１記載の画像形成装置。
【請求項８】
シートに画像を形成する画像形成手段、前記画像の印字位置を前記画像形成手段に調整させる印字位置調整手段、及び制御手段を備える画像形成装置により実行される方法であって、
シートの種類に応じて、印字位置の調整後に行う確認プリントの枚数が予め設定される用紙ライブラリを所定の格納手段に格納しておき、
前記制御手段が、印刷ジョブに応じて前記画像形成手段に画像を形成させているときに確認プリントの実行が指示されると、当該印刷ジョブで用いるシートの種類に応じた確認プリントの枚数を前記用紙ライブラリを参照することで判断し、前記画像形成手段に当該枚数のシートへの確認プリントを行わせることを特徴とする、
印字位置確認プリント方法。
【発明の詳細な説明】
【技術分野】
【０００１】
本発明は、複写機、プリンタ等の画像形成装置等に関し、特に、シートに対する画像形成位置（印字位置）の確認技術に関する。
【背景技術】
【０００２】
画像形成装置は、意図した位置に画像が印字されるように、シートに対する印字位置の調整機能を有する。印字位置の調整機能により、例えばプレプリント用紙のように予め罫線等が印刷されたシートへの印字や、表裏面の位置合わせが必要な両面印刷の場合に、印字位置合わせを高レベルで行うことが可能となる。また、印字位置の調整機能は、製本印刷での見開きページにおけるページ間の位置合わせにも利用される。印字位置の調整は、使用するシートの種類に応じて行う必要がある。シートのサイズや坪量（重量）、材質等のシートの種類によって生じるシート搬送の特性の違いが、印字位置の微小な差になるためである。また、シートの種類以外にも、シートの収縮率が変化することで印字位置が変化する。例えば、両面印刷を行う際に、表面印刷による定着熱の影響でシートの吸湿性が表面印刷時と裏面印刷時とで変化し、裏面の印字位置や印字の収縮率が表面の印刷時から変化する。
【０００３】
印字位置の調整は、一般的に、調整対象となるシートに所定のマークを印字した調整用チャートを使用して行われる。調整用チャートのマークの位置により導出される表面と裏面との印字位置の位置ずれ量が、該シートの印字パラメータとして記憶される。以降、同種のシートを用いて印刷が行われる場合に、印字パラメータが参照されて、位置ずれ量が打ち消されるように調整して印字される。これにより印字位置が調整された印刷物が得られる。例えば特許文献１は、シートの両面の少なくとも四隅に位置合わせ用の基準画像（マーク）を形成し、このマークを読み取った結果に応じてシートの両面の印字位置の調整を行う画像形成装置を開示する。特許文献２は、シートの搬送経路上にマークを読み取るデバイスを有し、自動的に印字位置の調整を行うことでオペレータの負荷を低減した画像形成装置を開示する。
【０００４】
上記の通り、印字位置に影響するシートの吸湿性は、表面印刷時の定着熱の他に、シートを画像形成装置の給紙カセットに収容した後のシートの水分量によっても変化する。シートの水分量の変化は、シートサイズにも影響する。例えば、湿度の低い環境では、シートに含まれる水分量が時間経過に応じて減少し、シートが伸縮する可能性がある。シートが伸縮した場合、両面印刷時の表面と裏面との印字位置の位置ずれ量が変化する。そのために、例えば大量に印刷する場合には、印字位置の位置ずれの発生を確認する必要がある。従来、色味の確認のために印刷物のコピーを印刷物とは別の場所に排出する「確認プリント」とよばれる技術がある。確認プリントで出力されたコピー物により印字位置を確認することができる。従来の確認プリントでは、色味の確認が目的であるために、コピー物が１枚または１部出力される。
【先行技術文献】
【特許文献】
【０００５】
【特許文献１】特開２００３−１７３１０９号公報
【特許文献２】特開２００５−２２１５８２号公報
【発明の概要】
【発明が解決しようとする課題】
【０００６】
両面印刷時に表裏両面の印字位置を確認する場合、１枚で素早く確認することが困難な場合がある。例えば、シートの厚さや目安となるマークが透かして目視しずらい場合、オペレータがマークを実測する、或いはスキャナ等で読み取らせる必要があり、印字位置の確認に時間を要する。
【０００７】
本発明は、上記課題に鑑みてなされたものであり、印字位置の確認を素早く行うことが可能な画像形成装置を提供することを目的とする。
【課題を解決するための手段】
【０００８】
本発明の画像形成装置は、シートに画像を形成する画像形成手段と、前記画像の印字位置を前記画像形成手段に調整させる印字位置調整手段と、シートの種類に応じて、印字位置の調整後に行う確認プリントの枚数が予め設定される用紙ライブラリと、印刷ジョブに応じて前記画像形成手段に画像を形成させているときに確認プリントの実行が指示されると、当該印刷ジョブで用いるシートの種類に応じた確認プリントの枚数を前記用紙ライブラリを参照することで判断し、前記画像形成手段に、当該枚数のシートへの確認プリントを行わせる制御手段と、を備えることを特徴とする。
【発明の効果】
【０００９】
本発明によれば、確認プリントの枚数がシートの種類に応じて予め設定されており、実行中の印刷ジョブで用いるシートの種類に応じて確認プリントの枚数が決められる。そのために、適切な枚数のシートへの確認プリントが行われ、印字位置の確認を素早く行うことが可能となる。
【図面の簡単な説明】
【００１０】
【図１】印刷システムの全体構成図。
【図２】画像形成システムの構成図。
【図３】画像形成装置の説明図。
【図４】大容量スタッカの構成図。
【図５】読取装置の構成図。
【図６】画像形成システムの制御系統のハードウェア構成図。
【図７】情報処理装置の制御系統のハードウェア構成図。
【図８】印刷システムの機能構成図。
【図９】ジョブ管理アプリケーション画面の例示図。
【図１０】印刷設定画面の例示図。
【図１１】用紙ライブラリの操作を行うためのインタフェース画面の例示図。
【図１２】用紙ライブラリの説明図。
【図１３】調整用チャートの説明図。
【図１４】印字位置ずれ量の導出処理の説明図。
【図１５】印字位置の調整処理を表すフローチャート。
【図１６】ジョブ状況画面の例示図。
【図１７】確認プリント画面の例示図。
【図１８】確認プリント処理を表すフローチャート。
【図１９】印字位置確認プリント処理を表すフローチャート。
【図２０】印字位置の確認方法の説明図。
【図２１】印字位置確認プリント処理を表すフローチャート。
【発明を実施するための形態】
【００１１】
以下、実施の形態を図面を参照しつつ詳細に説明する。
【００１２】
（印刷システムの構成）
図１は、本実施形態の画像形成装置を有する印刷システムの全体構成図である。印刷システム１は、画像形成システム１０１及び情報処理装置１０２を備える。画像形成システム１０１と情報処理装置１０２とは、ネットワーク１０３を介して通信可能に接続される。情報処理装置１０２は例えばサーバであり、ジョブ管理、及びＲＩＰ（Raster Image Processor）処理や面付け等の処理を行い、印刷ジョブを画像形成システム１０１に送信する。
【００１３】
図２は、画像形成システム１０１の構成図である。画像形成システム１０１は、外部給紙装置２０１、画像形成装置２０２、大容量スタッカ２０３、及び読取装置２０４を備える。
【００１４】
外部給紙装置２０１は、大量の印刷用のシートを収容可能であり(例えば３０００枚）、シートを画像形成装置２０２に供給する。画像形成装置２０２は、印刷ジョブに応じた画像をシートに形成することで印刷を行う。画像形成装置２０２は、シートが、外部給紙装置２０１から供給される他に、付属の給紙カセットからも給紙される。画像形成装置２０２は、外部給紙装置２０１を用いることで大量枚数の印刷が中断することなく可能である。大容量スタッカ２０３は、画像形成装置２０２でシートに画像が形成されることで生成される印刷物を、印刷ジョブで指示される形態で、大量に溜めることが可能な排紙装置である。大容量スタッカ２０３は、主に、外部給紙装置２０１を用いた大量印刷を行う際に、大量の印刷物を溜めるために用いられる。読取装置２０４は、画像形成装置２０２から排出される印刷物から、印字位置の調整のために印刷された後述の調整用チャートを読み取る。読取結果は、後述の印字位置の調整に利用される。
【００１５】
図３は、画像形成装置２０２の説明図である。画像形成装置２０２は、原稿から画像（原稿画像）を読み取る構成、シートに画像を形成（印刷）する構成、シートを給紙及び搬送する構成、及び操作パネル３２３を備える。
【００１６】
原稿画像を読み取る構成は、ＡＤＦ（Auto Document Feeder）３０１及びスキャナ３０２を備える。ＡＤＦ３０１は、原稿トレイに載置される原稿束から原稿を１枚ずつスキャナ３０２の読取位置まで搬送する。スキャナ３０２は、ＡＤＦ３０１により搬送されてきた原稿から原稿画像を読み取り、読み取った原稿画像を表す画像データを生成する。
【００１７】
シートに画像を形成する構成は、トナー像が形成される感光ドラム３０４、感光ドラム３０４に形成されるトナー像をシートに転写する転写体である転写ドラム３０５、及びトナー像をシートに定着させる定着器３０８を備える。
【００１８】
感光ドラム３０４は、ドラム形状の感光体であり、帯電器、露光器３０３、及び現像器により、表面にトナー像が形成される。感光ドラム３０４は、図中時計回りに回転しながらトナー像が形成される。感光ドラム３０４は、帯電器により表面が一様に帯電された後に、露光器３０３によりレーザ光が照射されることで、表面に静電潜像が形成される。露光器３０３は、画像データに応じて変調したレーザ光を感光ドラム３０４に照射することで、画像データに応じた静電潜像を感光ドラム３０４に形成する。現像器は、感光ドラム３０４に形成された静電潜像にトナーを付着させて現像することで、感光ドラム３０４の表面にトナー像を形成する。現像器は、イエロー（Ｙ）、マゼンタ（Ｍ）、シアン（Ｃ）、ブラック（Ｋ）の色毎に設けられる。
【００１９】
転写ドラム３０５は、表面にシートが貼り付けられ、感光ドラム３０４とは逆方向に回転することで、該シートにトナー像を転写させる。転写ドラム３０５は、１回に１色のトナー像をシートに転写させる。そのために、感光ドラム３０４の帯電からトナー像の転写までの一連の画像形成プロセスを４回繰り返すことで、シートにフルカラーのトナー像が形成される。トナー像が形成されたシートは、分離爪３０６により転写ドラム３０５から剥がされ、定着前搬送路３０７を介して定着器３０８に搬送される。
【００２０】
定着器３０８は、ローラ及びベルトを組みあわせて構成されており、ハロゲンヒータ等の熱源を内蔵する。定着器３０８は、トナー像が形成されたシートを加熱及び加圧することで、トナー像をシートに定着させる。定着器３０８は、トナー像が定着したシートを排出する。定着器３０８から排出されたシートは、揺動軸を中心に揺動可能に構成され、シートの搬送方向を指示する排紙フラッパ３０９に搬送される。排紙フラッパ３０９が図中時計回りに揺動しているときに、シートは、排紙ローラ３１０により機外に出力される。
【００２１】
シートを給紙及び搬送する構成は、印刷処理に用いるシートを収容する給紙カセット３１７、３１８、手差しトレイ３２０、搬送経路、及び両面搬送部を備える。
【００２２】
シートの給紙は、給紙カセット３１７、３１８、手差しトレイ３２０、及び外部給紙装置２０１により行われる。給紙カセット３１７、３１８、外部給紙装置２０１は、各種のシートサイズ且つ各種のマテリアルのシートを、それぞれに収納可能である。手差しトレイ３２０は、ＯＨＰシート等の特殊なシートを含む各種のシートを積載可能に構成される。搬送経路には、給紙されたシートを搬送する各種ローラが設けられる。
【００２３】
給紙カセット３１７、３１８、外部給紙装置２０１、及び手差しトレイ３２０には、それぞれに給紙ローラ３２１が設けられ、１枚単位でシートが連続して給紙可能となっている。例えば、給紙カセット３１７に収容されたシートは、ピックアップローラによって順次繰り出され、給紙ローラ３２１に対向して設けられる分離ローラによって重送が防止されることで、１枚ずつ搬送経路へと送り出される。分離ローラには、搬送方向とは逆方向に回転させる駆動力が、トルクリミッタ（図示しない）を介して入力されている。分離ローラは、給紙ローラとの間に形成されるニップ部にシートが１枚だけ進入しているときに、シートに従動して搬送方向に回転する。重送が発生している場合、分離ローラは、搬送方向とは逆方向に回転することにより重送したシートを引き戻し、最上部の１枚だけが給紙するようになっている。
【００２４】
給紙されたシートは、複数の搬送ローラによって搬送経路をレジストローラ３１６まで搬送される。このときレジストローラ３１６は停止している。シートの先端がレジストローラ３１６で形成されるニップ部に突き当たり、ループを形成することで、シートの斜行が補正される。レジストローラ３１６は、感光ドラム３０４上にトナー像が形成されるタイミングに合わせて回転を開始し、シートを搬送する。レジストローラ３１６により搬送されたシートは、吸着ローラ３２２によって転写ドラム３０５の表面に静電気的に吸着される。
【００２５】
両面搬送部は、シートに両面印刷を行う際に一方の面（表面）に画像が形成された、表面にプリント済みのシートが搬送される搬送経路である。定着器３０８でトナー像が定着されたシートは、排紙フラッパ３０９が図中反時計回りに揺動しているときに、両面搬送部に搬送される。両面搬送部は、反転フラッパ３１１、反転ローラ３１２、反転ガイド３１３、及び両面トレイ３１４を備える。反転フラッパ３１１は、揺動軸を中心に揺動可能に構成され、シートの搬送方向を決定する。両面印刷の場合は、反転フラッパ３１１を図中反時計回りに揺動させることで、表面にプリント済みのシートが、反転ローラ３１２を介して反転ガイド３１３へ搬送される。シートの後端が反転ローラ３１２に狭持されたタイミングで反転ローラ３１２は一旦停止する。反転フラッパ３１１は、図中時計回りに揺動する。このとき反転ローラ３１２が逆方向に回転する。これにより、該シートがスイッチバック搬送され、該シートが、後端と先端が入れ替わった状態で両面トレイ３１４へ搬送される。
【００２６】
両面トレイ３１４は、シートを一旦積載する。両面トレイ３１４に積載されたシートは、再給紙ローラ３１５によって、再度レジストローラ３１６へ搬送される。このときシートは、一方の面（表面）とは反対の他方の面（裏面）が感光ドラム３０４に対向する側になる。その後、シートの裏面は、表面と同様のプロセスで画像が形成される。両面にプリントされたシートは、排紙ローラ３１０を介して機外へ出力される。
【００２７】
操作パネル３２３は、ユーザインタフェースであり、各種操作ボタン、テンキー、ＬＣＤ（Liquid Crystal Display）等の表示装置、タッチパネル等を備える。オペレータは、操作パネル３２３により画像形成装置２０２にコマンドや設定を入力することができる。操作パネル３２３は、表示装置により設定画面や状態の表示を行う。
【００２８】
画像形成装置２０２は、ネットワーク１０３を介した通信のためのネットワークコネクタ３２４を備える。ネットワークコネクタ３２４は、通信インタフェースに応じた形状である。
【００２９】
以上のような構成の画像形成装置２０２は、シートの給紙元により片面印刷時の印刷面、両面印刷時の表面が異なる。給紙カセット３１７、３１８に収容されるシートは、印刷面（表面）が下向きに載置される。外部給紙装置２０１及び手差しトレイ３２０のシートは、印刷面（表面）が上向きに載置される。ノーカーボン紙のように表裏に注意する必要のあるシートを給紙する場合には、印刷面に注意して載置する必要がある。
【００３０】
図４は、大容量スタッカ２０３の構成図である。大容量スタッカ２０３は、搬送経路としてストレートパス４０１、エスケープパス４０２、及びスタックパス４０３を備える。各搬送経路には、シートの搬送状況やジャムを検出するためのセンサが複数設けられる
【００３１】
ストレートパス４０１は、大容量スタッカ２０３におけるシート処理が要求されていない場合に、画像形成装置２０２から供給されるシートを、図示していない後段の装置へシートを搬送する搬送経路である。エスケープパス４０２は、シートをスタックせずに、大容量スタッカ２０３の外部に出力する場合に用いられる搬送経路である。例えば、印刷物の確認作業（確認プリント）等を行う場合に、エスケープパス４０２からエスケープトレイ４０４に確認プリント用のシートが出力される。スタックパス４０３は、スタックトレイ４０５にシートを搬送するための搬送経路である。例えば、印刷ジョブが印刷物の積載処理を要求する場合、プリント後のシート（印刷物）は、スタックパス４０３を搬送されて、スタックトレイ４０５に積載される。
【００３２】
スタックトレイ４０５は、伸縮可能なステイ４０６の上に載置される積載ユニットである。スタックトレイ４０５とステイ４０６との結合部には、ショックアブソーバ等が付けられている。伸縮可能なステイ４０６は、台車４０７上に設けられる。台車４０７は、不図示の取っ手を取り付けることにより、スタックトレイ４０５上に積載されたシートを別のオフラインフィニッシャ等に運べるようになっている。なお、大容量スタッカ２０３の前ドアが閉まっている場合、ステイ４０６は、スタックトレイ４０５を、シートが積載されやすい位置に上昇させる。前ドアが開けられる場合、ステイ４０６は、スタックトレイ４０５を、シートが取り出しやすいように下降させる。
【００３３】
このように大容量スタッカ２０３は、大量の印刷物をスタックトレイ４０５に積載したり、確認プリント等の少量印刷物をエスケープトレイ４０４に排出することができる。
【００３４】
図５は、読取装置２０４の構成図である。読取装置２０４は、読取コントローラ５０１、シート検出センサ５０２、及びラインセンサ５０３を有する。読取装置２０４は、画像形成装置２０２で画像形成された印字位置調整用のテストチャート（以下、「調整用チャート」という。）を用紙搬送路５０４で搬送しながら読み取る。調整用チャートの詳細は後述する。
【００３５】
シート検出センサ５０２は、用紙搬送路５０４を搬送されるシートを検出する。用紙搬送路５０４は、黒の搬送ベルトである。シート検出センサ５０２は、白のシートの搬送方向に対して先頭エッジを検出することでシートを検出する。黒い搬送ベルト上を白のシートが搬送されることで、シートの検出精度が向上する。
【００３６】
シート検出センサ５０２は、用紙搬送路５０４のシートの搬送方向に対して直交する方向に複数設けられる。各シート検出センサ５０２は、シートの先頭エッジを検出して、読取コントローラ５０１に先頭エッジの検出を通知する。読取コントローラ５０１は、各シート検出センサ５０２からの通知のタイミング及びシートの搬送速度に基づいて、シートの斜行量を導出する。また、読取コントローラ５０１は、各シート検出センサ５０２からの通知をトリガーにしてラインセンサ５０３を制御し、シートの画像（調整用チャート）を読み取る。ラインセンサ５０３はシートの両面を一度に読み取るために、用紙搬送路５０４を挟んで２つ設けられる。読取コントローラ５０１は、シートの斜行角度及びラインセンサ５０３で読み取った画像を表す画像データを、画像形成装置２０２の動作を制御する後述の制御系統に送信する。
【００３７】
（画像形成システム１０１の制御系統）
図６は、画像形成システム１０１の制御系統のハードウェア構成図である。制御系統は、ＣＰＵ（Central Processing Unit）６０７、ＲＯＭ（Read  Only Memory）６０９、及びＲＡＭ（Random  Access Memory）６１０を備えるコンピュータシステムである。ＣＰＵ６０７は、ＲＯＭ６０９から読み出したコンピュータプログラムを、ＲＡＭ６１０を作業領域に用いて実行することで画像形成システム１０１の動作を制御する。ＣＰＵ６０７には、ＡＤＦ制御部６０３、スキャナ制御部６０４、画像信号制御部６０５、プリンタ制御部６０６、読取装置制御部６０８、操作パネル制御部６１１、及びスタッカ制御部６１２が接続される。これらの各部は、画像形成システム１０１の各部の動作を制御するための構成である。また、ＣＰＵ６０７には、ストレージインタフェース（Ｉ／Ｆ）６１３及びネットワークインタフェース（Ｉ／Ｆ）６１４が接続される。このような制御系統は、例えばＭＰＵ（Micro-Processing Unit）やＡＳＩＣ（Application Specific Integrated Circuit）、ＳｏＣ（System-on-a-Chip）等により実現される。
【００３８】
ＡＤＦ制御部６０３は、ＣＰＵ６０７の指示に基づいて、ＡＤＦ３０１の動作を制御する。ＡＤＦ制御部６０３の制御により、ＡＤＦ３０１は、原稿をスキャナ３０２の読取位置に搬送する。スキャナ制御部６０４は、ＣＰＵ６０７の指示に基づいて、スキャナ３０２の動作を制御する。スキャナ制御部６０４の制御により、スキャナ３０２は、原稿画像を読み取り、当該原稿画像を表す画像データを画像信号制御部６０５に送信する。画像信号制御部６０５は、ＣＰＵ６０７の指示に基づいて、スキャナ制御部６０４から取得した画像データに所定の画像処理を行ってプリンタ制御部６０６へ送信する。プリンタ制御部６０６は、ＣＰＵ６０７の指示に基づいて、感光ドラム３０４、定着器３０８、給紙カセット３１７等の画像形成のための構成の動作を制御することでシートへの画像形成を行う。プリンタ制御部６０６は、画像信号制御部６０５から取得した画像データに基づく画像をシートに印刷する。
【００３９】
読取装置制御部６０８は、ＣＰＵ６０７の指示に基づいて、読取装置２０４の動作を制御する。読取装置２０４は、後述する印字位置補正において調整用チャートを読み取り、読取結果を、読取装置制御部６０８を介してＣＰＵ６０７に送信する。
【００４０】
操作パネル制御部６１１は、操作パネル３２３とＣＰＵ６０７とのインタフェース制御を行う。操作パネル制御部６１１は、操作パネル３２３から入力されたデータをＣＰＵ６０７に送信する。また、操作パネル制御部６１１は、ＣＰＵ６０７の指示に基づいて、操作パネル３２３に設定画面等の画像を表示する。
【００４１】
スタッカ制御部６１２は、ＣＰＵ６０７の指示に基づいて、大容量スタッカ２０３の動作を制御する。大容量スタッカ２０３は、スタッカ制御部６１２の指示に基づいて、画像形成装置２０２から出力されたシートを、指示された出力先（エスケープトレイ４０４、スタックトレイ４０５）に出力する。
【００４２】
ストレージＩ／Ｆ６１３は、ＨＤＤ（Hard Disk drive）やＳＳＤ（Solid State drive）等の大容量のストレージ６１５が接続される。ストレージＩ／Ｆ６１３は、ストレージ６１５とＣＰＵ６０７とのインタフェース制御を行う。ＣＰＵ６０７は、ストレージＩ／Ｆ６１３を介してストレージ６１５にデータを書き込み、また、ストレージからデータを読み出す。ネットワークＩ／Ｆ６１４は、ネットワーク１０３を介した外部装置（情報処理装置１０２）との通信制御を行うインタフェースである。画像形成装置２０２は、ネットワークＩ／Ｆ６１４により情報処理装置１０２との通信を行う。
【００４３】
（情報処理装置１０２の制御系統）
図７は、情報処理装置１０２の制御系統のハードウェア構成図である。制御系統は、ＣＰＵ７０１、ＲＯＭ７０７、及びＲＡＭ７０８を備えるコンピュータシステムである。ＣＰＵ７０１は、ＲＯＭ７０７から読み出した起動プログラムを、ＲＡＭ７０８を作業領域として実行することで、情報処理装置１０２の起動処理を行う。ＣＰＵ７０１、ＲＯＭ７０７、及びＲＡＭ７０８は、バス７１３により通信可能に接続される。
【００４４】
バス７１３には、出力装置である表示装置７０２に接続されるＶＲＡＭ（Video Random Access Memory）７０３と、入力装置であるキーボード７０４及びポインティングデバイス（ＰＤ）７０５が接続される。表示装置７０２、キーボード７０４、及びＰＤ７０５は、ユーザンタフェースである。ＶＲＡＭ７０３は、ＣＰＵ７０１により、表示装置７０２に表示するための画像が描画される。ＶＲＡＭ７０３に描画された画像は、所定のフォーマットに変換されて表示装置７０２に送信され、表示される。表示装置７０２には、例えばウィンドウ、アイコン、メッセージ、メニューその他のユーザインタフェース情報が表示される。キーボード７０４は、文字入力を行うための各種キーを備える。キーボード７０４は、キー入力の結果をＣＰＵ７０１に送信する。ＰＤ７０５は、表示装置７０２の表示画面に表示されるアイコンやメニュー等のオブジェクトの指示に用いられる。ＰＤ７０５は、指示結果をＣＰＵ７０１に送信する。
【００４５】
バス７１３には、メディアドライブ７０６、ストレージ７０９、及び外部記憶装置に接続される外部記憶インタフェース（Ｉ／Ｆ）７１０が接続される。メディアドライブ７０６は、ＣＤ（Compact Disk）やＤＶＤ等のメディアから各種制御プログラムやデータを読み出し、また書き込む装置である。ＣＰＵ７０１は、メディアドライブ７０６によりメディアにアクセス可能となる。ストレージ７０９は、情報処理装置１０２に内蔵されるＨＤＤやＳＳＤ等の内部記憶装置であり、各種制御プログラムやデータを格納する。ＣＰＵ７０１は、ストレージ７０９からコンピュータプログラムを読み出して実行することができる。外部記憶Ｉ／Ｆ７１０は、ＵＳＢ（Universal Serial Bus）メモリ等の外部記憶装置からのデータの読み出し及びデータの書き込みを行うためのインタフェースである。ＣＰＵ７０１は、外部記憶Ｉ／Ｆ７１０によりメディアにアクセス可能となる。
【００４６】
バス７１３には、ネットワークインタフェース（Ｉ／Ｆ）７１１が接続される。ネットワークＩ／Ｆ７１１は、ネットワーク１０３を介した外部装置（画像形成システム１０１）との通信制御を行うインタフェースである。情報処理装置１０２は、ネットワークＩ／Ｆ６１４により画像形成システム１０１との通信を行う。
【００４７】
このような構成の情報処理装置１０２は、起動時にＣＰＵ７０１がＲＯＭ７０７から起動プログラムを読み出して実行することで、情報処理装置１０２の起動処理が行われる。ＣＰＵ７０１は、起動後にストレージ７０９やメディアから制御プログラムを読み出して実行することにより、情報処理装置１０２に各種の機能を実現する。例えば、情報処理装置１０２は、画像データをＲＩＰ処理して画像形成システム１０１へ送信する機能を実現する。
【００４８】
（印刷システム１の機能構成）
図８は、印刷システム１の機能構成図である。図８では、情報処理装置１０２が画像形成システム１０１に画像形成を行わせるための機能について説明する。
【００４９】
画像形成システム１０１は、ＣＰＵ６０７がコンピュータプログラムを実行することで、ＵＩ（User Interface）処理部８０１、機器制御部８０２、受信処理部８０３、及びネットワーク制御部８０４として機能する。
【００５０】
ＵＩ処理部８０１は、操作パネル３２３による入力を受け付ける。またＵＩ処理部８０１は、操作パネル３２３に画像を表示させる。例えば、画像形成システム１０１の動作を設定する場合、ＵＩ処理部８０１は、操作パネル制御部６１１により、操作パネル３２３に設定画面を表示させる。ＵＩ処理部８０１は、操作パネル３２３により入力された設定値をストレージＩ／Ｆ６１３によりストレージ６１５に保存する。
【００５１】
機器制御部８０２は、画像形成システム１０１の画像形成機能（印刷機能）、機器情報設定管理等の処理を行う。受信処理部８０３は、例えば情報処理装置１０２からネットワーク制御部８０４を介して受信したＲＩＰ処理後の画像データを、ページ単位で機器制御部８０２に入力する。ネットワーク制御部８０４は、ネットワークＩ／Ｆ６１４により、ネットワーク１０３を介した情報処理装置１０２との通信を行う。
【００５２】
情報処理装置１０２は、ＣＰＵ７０１が制御プログラムを実行することで、ＵＩ処理部８０５、ジョブ制御部８０６、送信処理部８０７、ネットワーク制御部８０８、及びＲＩＰ処理部８０９として機能する。
【００５３】
ＵＩ処理部８０５は、表示装置７０２に画像を表示させるとともに、キーボード７０４及びＰＤ７０５による入力を受け付ける。ＵＩ処理部８０５は、例えば後述のジョブ管理アプリケーション画面を表示し、ジョブ管理アプリケーション画面によるジョブ設定を受け付けてジョブ制御部８０６に入力する。
【００５４】
ジョブ制御部８０６は、画像形成システム１０１に実行させる印刷ジョブの処理を行う。送信処理部８０７は、ＲＩＰ処理部８０９でＲＩＰ処理された画像データを、ページ単位で、ネットワーク制御部８０８を介して画像形成システム１０１に送信する。ネットワーク制御部８０８は、ネットワークＩ／Ｆ７１１により、ネットワーク１０３を介した画像形成システム１０１との通信を行う。
【００５５】
情報処理装置１０２でＲＩＰ処理された画像データを画像形成システム１０１で印刷する場合は以下のような処理になる。
【００５６】
情報処理装置１０２のジョブ制御部８０６は、ＲＩＰ処理部８０９により画像データをレンダリングして、送信処理部８０７によりＲＩＰ処理された画像データを画像形成システム１０１へ送信する。また、ジョブ制御部８０６は、ネットワーク制御部８０８によりジョブ設定情報を画像形成システム１０１へ送信する。ジョブ設置情報は、例えば印刷ジョブに関する各種の設定を含む情報である。
【００５７】
画像形成システム１０１の機器制御部８０２は、受信処理部８０３により、ＲＩＰ処理された画像データを取得し、取得した画像データを画像信号制御部６０５に入力する。また、機器制御部８０２は、ネットワーク制御部８０４によりジョブ設定情報を受信する。機器制御部８０２は、ジョブ設定情報に基づいて、プリンタ制御部６０６に出力先や給紙元に関する指示を行い、画像信号制御部６０５に、画像データをプリンタ制御部６０６へ送信させるように指示を行う。この際に機器制御部８０２は、操作パネル３２３から確認プリント要求が入力された場合に備えて、画像データをストレージ６１５に一時保存し、ジョブ完了等の画像データを保存する必要がなくなった時点でストレージ６１５から該画像データを削除する。
【００５８】
（ジョブ管理アプリケーション）
図９は、情報処理装置１０２の表示装置７０２に表示されるジョブ管理アプリケーション画面の例示図である。ジョブ管理アプリケーション画面は、名称バー９０１、終了ボタン９０２、アクティブウィンドウ９０３、及びジョブ履歴ウィンドウ９０４を含む。
【００５９】
名称バー９０１は、ジョブ管理アプリケーションの名称を表示する。終了ボタン９０２は、ジョブ管理アプリケーションを終了する際に押下される。終了ボタン９０２の押下によりジョブ管理アプリケーションが終了して、ジョブ管理アプリケーション画面が閉じられる。
【００６０】
アクティブウィンドウ９０３は、情報処理装置１０２が保持する印刷ジョブを一覧表示する表示領域である。ここでは、アクティブウィンドウ９０３に「契約.pdf」の名称の印刷ジョブが情報処理装置１０２に保持されていることを表す。アクティブウィンドウ９０３に表示されるジョブに関連して「印刷」及び「印刷設定」を実行するためのプロパティ９０５が表示される。「印刷」が選択される場合、印刷ジョブの印刷が行われる。「印刷設定」が選択される場合、印刷設定の変更が可能になる。
【００６１】
ジョブ履歴ウィンドウ９０４は、処理が完了した印刷ジョブの履歴を表示する表示領域である。ここでは、「見積もり.pdf」の名称の印刷ジョブが、印刷の完了した印刷ジョブのジョブ履歴としてジョブ履歴ウィンドウ９０４に表示される。なお、ジョブ履歴ウィンドウ９０４に表示される印刷ジョブは、アクティブウィンドウ９０３に表示される印刷ジョブとは異なり、印刷設定の変更や印刷の実行が不可である。
【００６２】
図１０は、アクティブウィンドウ９０３でジョブの「印刷設定」が選択された場合に、情報処理装置１０２の表示装置７０２に表示される印刷設定画面の例示図である。印刷設定画面は、タグ１００１、「ＯＫ」ボタン１００６、及び「キャンセル」ボタン１００７を含む。
【００６３】
タグ１００１は、「一般」、「ジョブ情報」、「用紙」、「レイアウト」、「仕上げ」の５種類により構成される。選択されたタグ１００１の種類に応じた設定項目が表示される。ここでは「用紙」タグの設定項目が表示される。「用紙」タグは、画像が印刷されるシートに関する設定を行うための設定項目を表示し、印刷ジョブに用いられるシートの種類、サイズ、トレイ（給紙元）の選択が可能である。
【００６４】
「用紙種類」メニュー１００２は、印刷ジョブに用いるシートの種類を設定するためのプルダウンメニューである。例えば、「用紙種類」メニュー１００２では、「自動選択」、「普通紙」等が設定可能である。「用紙トレイ」メニュー１００３は、印刷ジョブに用いるシートの給紙元を設定するためのプルダウンメニューである。例えば、「用紙トレイ」メニュー１００３では、「自動選択」、「カセット１」、「手差し」等が設定可能である。「用紙トレイ」メニュー１００３で設定された給紙元から給紙されるシートが、印刷ジョブにより画像形成される。「用紙サイズ」メニュー１００４は、印刷ジョブに用いるシートのサイズを設定するためのプルダウンメニューである。例えば、「用紙サイズ」メニュー１００４では、「Ａ３」、「Ａ４」、「Ｂ４」、「Ｂ５」、「ＬＴＲ」等が設定可能である。「用紙の混合」ボタン１００５は、１つの印刷ジョブで複数の用紙種類、用紙サイズ、用紙トレイのシートに画像形成を行う場合に押下される。
【００６５】
「ＯＫ」ボタン１００６は、印刷設定画面で設定した内容を反映するためのボタンである。「キャンセル」ボタン１００７は、印刷設定画面で設定した内容を破棄するためのボタンである。「ＯＫ」ボタン１００６又は「キャンセル」ボタン１００７の押下により、印刷設定画面が閉じられる。
【００６６】
（印字位置調整）
図１１は、本実施形態の印刷システム１において、用紙ライブラリへの編集等の操作を行うためのインタフェース画面の例示図である。用紙ライブラリは、画像形成システム１０１で印刷に使用可能なシートを管理するためのデータベースである。用紙ライブラリは、画像形成システム１０１のストレージ６１５に格納され、適宜、読み出し、更新等が行われる。用紙ライブラリの詳細は後述する。
【００６７】
用紙ライブラリの操作を行うためのインタフェース画面は、画像形成装置２０２の操作パネル３２３に表示される。インタフェース画面１１００は、用紙リスト１１０１、「新規追加」ボタン１１１１、「編集」ボタン１１１２、「削除」ボタン１１１３、「印字位置調整」ボタン１１１４を含む。
【００６８】
用紙リスト１１０１は、用紙ライブラリで管理されるシートのリストを表示する。用紙リスト１１０１では、各シートに対して列１１０２〜１１０７に示すような用紙属性が表示される。列１１０２は、シートの名称を表示する。シートの名称は、各シートが互いに識別できるように指定される。列１１０３、１１０４は、シートのサイズを表す。列１１０３は副走査方向の用紙長を表し、列１１０４は主走査方向の用紙長を表す。列１１０５はシートの坪量を表す。列１１０６は、シートの表面性を表す。表面性とは、シート表面の物理特性を表し、例えば光沢性を上げるための表面コートが成された「コート」や、表面に凹凸のあるような「エンボス」等である。列１１０７は、シート自体の色を表す。
【００６９】
用紙リスト１１０１は、操作パネル３２３上のタッチ操作等により、表示するシートの選択が可能となっている。選択されたシートの用紙属性は、ハイライト表示されて選択されたことが分かるようになっている。ここでは、「ＸＹＺ製紙カラー８１」が選択される場合が例示される。なお、用紙ライブラリで管理するシート数が用紙リスト１１０１で一度に表示可能な数よりも多い場合、スクロールバー１１０８の操作により、用紙属性の表示及び選択が可能となる。
【００７０】
「新規追加」ボタン１１１１は、用紙ライブラリに新規のシートを追加するためのボタンである。「編集」ボタン１１１２は、用紙リスト１１０１で選択されたシートの用紙属性を編集するためのボタンである。「削除」ボタン１１１３は、用紙リスト１１０１で選択されたシートを用紙ライブラリから削除するためのボタンである。「印字位置調整」ボタン１１１４は、用紙リスト１１０１で選択されたシートに対する印字位置調整を行うためのボタンである。
【００７１】
図１２は、用紙ライブラリの説明図である。用紙ライブラリは、例えばＸＭＬ（Extensible Markup Language）やＣＳＶ（Comma-Separated Values）等のファイル形式で画像形成システム１０１のストレージ６１５に格納される。
【００７２】
行１２０１〜１２０５は、用紙ライブラリに登録されたシート毎の用紙属性を表す。列１２１１〜１２１９は、用紙属性の各項目を表す。各項目は、インタフェース画面から、操作パネル３２３により入力される。列１２１１は、シートの名称を表す。列１２１２〜１２１５は、シートの物理的特性を表す。列１２１２はシートの副走査方向の用紙長を表し、列１２１３はシートの主走査方向の用紙長を表し、列１２１４はシートの坪量を表し、列１２１５はシートの表面性を表す。列１２１６はシートの色を表す。列１２１７は、後述の印字位置調整後に行われる印字位置の確認プリントで用いられるシートの枚数を表す。確認プリントにおけるシートの枚数が１枚の場合、シートを透かす等で印字位置を確認することができる。確認プリントにおけるシートの枚数が２枚の場合、シートを透かすことができず、１枚のシートによる表裏の印字位置確認が困難である。確認プリントにおけるシートの枚数は、画像形成システム１０１に予め登録されていてもよいが、変更可能としてもよい。
【００７３】
列１２１８、１２１９は、それぞれシートの表面及び裏面における印字位置ずれ量を表す。印字位置ずれ量とは、理想の印字位置からの位置ずれ量を表す。本実施形態では、印字位置ずれ量が、直角補正量、台形補正量、斜行補正量、リード位置、サイド位置、主走査倍率、副走査倍率で表される。印字位置ずれ量は、シートに対する画像の位置を理想的な印字位置に調整するための調整量に相当する。実際の印刷時に画像形成システム１０１は、印字位置ずれ量に基づいて、画像が理想の印字位置に形成されるよう調整する。つまり、画像形成システム１０１は、印字位置ずれ量を打ち消すように調整して画像形成を行う。直角補正量は、シートに対する副走査方向と主走査方向の印字向きの直角度のずれ量を表す。例えば、直角補正量は、副走査方向に印字された直線に対して理想的な垂線を算出し、その理想垂線と主走査方向に印字された直線とのずれ量である。台形補正量は、シートの伸縮のずれ量を表す。例えば、台形補正量は、シートに対する印字開始位置から副走査方向に副走査後端まで印字された直線と、シートの主走査後端の位置から副走査方向に副走査後端まで印字された直線とのずれ量である。リード位置及びサイド位置は、それぞれシートに対する副走査方向・主走査方向の印字位置ずれ量を表す。リード位置は、シートの搬送方向先頭の端部を起点とした画像の印字開始位置を変更することで調整される。サイド位置は、シートの搬送方向左側の端部を起点とした画像の印字開始位置を変更することで調整される。具体的には、感光ドラム３０４へ照射するレーザ光の照射開始タイミングを調整することで、リード位置及びサイド位置が調整される。副走査方向倍率は、副走査方向の画像長のずれ（理想の長さに対する倍率）を表す。副走査方向倍率は、具体的には転写ドラム３０５の回転速度を制御することで調整される。主走査方向倍率は、主走査方向の画像長のずれ（理想の長さに対する倍率）を表す。
【００７４】
印字位置ずれ量は、所定のマークが配置された調整用チャート（位置測定用画像）をシートに印刷し、この調整用チャート上のマークの位置を検出することで導出される。印字位置ずれ量の初期値は各項目「０」である。用紙ライブラリにシートが新規登録された場合や、シートが登録されていても印字位置調整が行われていない場合には、初期値が印字位置ずれ量として用いられる。
【００７５】
図１３は、調整用チャートの説明図である。調整用チャートは、印字位置調整の開始後に、ＣＰＵ６０７の指示によってシートに印刷される。シートの表面１３００及び裏面１３０１には、同じ調整用チャートが印刷される。
【００７６】
画像１３１０は、表面１３００に印字される矢印及び文字であり、調整用チャートが印字されたシートの搬送方向及び表裏の識別に用いられる。画像１３１１は、裏面１３０１に印字される矢印及び文字であり、調整用チャートが印字されたシートの搬送方向及び表裏の識別に用いられる。画像１３１０、１３１１は、調整用チャートをスキャナ３０２に読み取らせる場合に、オペレータが方向を間違えないように印字される。なお、画像１３１０、１３１１は、印字位置ずれ量の導出に直接関係するものではないために印字されなくてもよい。
【００７７】
マーク１３２０は、調整用チャートの特定の位置に印刷される画像である。マーク１３２０は、シートに対する反射率の差が大きい色で形成される。本実施形態では、マーク１３２０は、黒色で形成される。本実施形態では、マーク１３２０は、シートの表面１３００及び裏面１３０１の各々の四隅の合計８カ所に形成される。マーク１３２０は、印字位置が理想通りであれば、シートの端部から所定の距離離れた位置に形成される。マーク１３２０の調整用チャート上の相対位置を測定することで、印字位置ずれ量が導出される。本実施形態では、図１３中の距離Ａ〜Ｖが測定される。距離Ａは、調整用チャートの副走査方向の長さである。距離Ｂは、調整用チャートの主走査方向の長さである。距離Ａ、Ｂの理想的な長さは、用紙ライブラリに設定される用紙長である。距離Ｃ〜Ｖは、それぞれマーク１３２０から直近のシートの端部までの長さである。
【００７８】
測定された距離Ａ〜Ｖに基づいて印字位置ずれ量を導出する処理について説明する。図１４は、印字位置ずれ量の導出処理の説明図である。
【００７９】
印字位置ずれ量は、表面に対する項目及び裏面に対する項目により表される。表面の項目には、リード位置１４０１、サイド位置１４０２、主走査倍率１４０３、副走査倍率１４０４、直角補正量１４０５、及び台形補正量１４０６がある。裏面の項目には、リード位置１４０７、サイド位置１４０８、主走査倍率１４０９、副走査倍率１４１０、直角補正量１４１１、及び台形補正量１４１２がある。表面及び裏面において、同じ項目については、同様の計算式で測定値１４２０及び印字位置ずれ量１４２２が算出され、同じ理想値が設定される。
【００８０】
各項目の測定値１４２０は、図１３で説明した距離Ａ〜Ｖの実測値から、項目毎に設定された計算式を用いて算出される。リード位置１４０１（１４０７）の測定値１４２０は、シートの搬送方向先頭の端部から、対応するマーク１３２０までの距離Ｃ、Ｅ（Ｋ、Ｍ）の平均値となる。サイド位置１４０２（１４０８）の測定値１４２０は、シートの搬送方向に対して左側の端部から、対応するマーク１３２０までの距離Ｆ、Ｊ（Ｎ、Ｒ）の平均値となる。主走査倍率１４０３（１４０９）の測定値１４２０は、主走査方向に同一線上に並ぶマーク１３２０間の距離の平均値となる。副走査倍率１４０４（１４１０）の測定値１４２０は、副走査方向に同一線上に並ぶマーク１３２０間の距離の平均値となる。直角補正量１４０５（１４１１）の測定値１４２０は、読取先端側に主走査方向に同一走査線上に並ぶマーク１３２０を結んだ直線の垂線に対する、読取後端側のマーク１３２０の副走査方向のずれ量Ｓ、Ｔ（Ｕ、Ｖ）の平均値となる。台形補正量１４０６（１４１２）の測定値１４２０は、副走査方向に同一走査線上に並ぶマーク１３２０間の距離の差分となる。
【００８１】
各項目の理想値１４２１は、シートの端部から１［ｃｍ］離れた位置に形成されたマーク１３２０に基づいて得られる値である。リード位置１４０１（１４０７）及びサイド位置１４０２（１４０８）の理想値１４２１は、１［ｃｍ］となる。主走査倍率１４０３（１４０９）の理想値１４２１は、用紙ライブラリに登録された当該シートの主走査方向の用紙長から２［ｃｍ］減算した値となる。副走査倍率１４０４（１４１０）の理想値１４２１は、用紙ライブラリに登録された当該シートの副走査方向の用紙長から２［ｃｍ］減算した値となる。直角補正量１４０５（１４１１）及び台形補正量１４０６（１４１２）の理想値１４２１は、０［ｃｍ］となる。
【００８２】
各項目の印字位置ずれ量１４２２は、対応する測定値１４２０及び理想値１４２１から、項目毎に設定された計算式を用いて算出される。リード位置１４０１（１４０７）及びサイド位置１４０２（１４０８）の印字位置ずれ量１４２２は、測定値１４２０から理想値１４２１を減算することで算出される（単位はｍｍ）。主走査倍率１４０３（１４０９）及び副走査倍率１４０４（１４１０）の印字位置ずれ量１４２２は、測定値１４２０から理想値１４２１を減算した値を理想値で除算することで算出される（単位は％）。直角補正量１４０５（１４１１）及び台形補正量１４０６（１４１２）の印字位置ずれ量１４２２は、測定値１４２０がそのまま用いられる。算出された各項目の印字位置ずれ量１４２２は、用紙ライブラリの列１２１８、１２１９により管理される。
【００８３】
距離Ａ〜Ｖは、オペレータによる定規等を用いた測定や、調整用チャートが印字されたシートをスキャナ３０２により読み取った結果により算出することができる。本実施形態では、画像形成装置２０２の後段に設けられた読取装置２０４を用いて距離Ａ〜Ｖを測定する方法について説明する。
【００８４】
読取装置２０４は、調整用チャートを読み取る。読み取った結果を画像解析することで距離Ａ〜Ｖが算出される。読取装置２０４は、ラインセンサ５０３の読取位置を通過するシートをスキャンして調整用チャートを読み取る。調整用チャートの読取結果は、ＣＰＵ６０７に送信される。ＣＰＵ６０７は、調整用チャートの濃度差から、シートの端部及びマーク１３２０のエッジ（シートの下地とマーク１３２０との境界）を検出する。ＣＰＵ６０７は、検出したシートの端部及びマーク１３２０のエッジから、距離Ａ〜Ｖを算出する。
【００８５】
図１５は、印字位置の調整処理を表すフローチャートである。ここでは、距離Ａ〜Ｖにより印字位置ずれ量を導出して、導出した位置ずれ量に応じて印字位置を調整する処理について説明する。本実施形態では、オペレータが操作パネル３２３に表示される図１１のインタフェース画面からシートを１つ選択して「印字位置調整」ボタン１１１４を押下することで、印字位置の調整処理が入力される。なお、特定のトリガーにより自動的に印字位置の調整処理が開始されてもよい。
【００８６】
ＣＰＵ６０７は、オペレータに選択されたシートの印字位置調整を行うために必要なシートの枚数（ｎ枚）を用紙ライブラリから取得する（Ｓ１５０１）。ＣＰＵ６０７は、印字位置の調整処理が入力された場合に、用紙ライブラリにより、当該シートの印字位置調整を行う際の調整用チャートが印刷されたシートの枚数を自動的に取得する。なお、ＣＰＵ６０７は、毎回オペレータに入力させるように操作パネル３２３の表示制御を行ってもよい。
【００８７】
画像形成装置２０２は、オペレータに選択されたシートの両面に対し、図１３に例示するマーク１３２０が配置された調整用チャートを印字して機外に出力する（Ｓ１５０２）。出力されたシートは、読取装置２０４へ搬送される。ＣＰＵ６０７は、読取装置２０４に、調整用チャートが印字されたシートの両面の画像をスキャンさせる。読取装置２０４は、２つのラインセンサ５０３により、シートの両面の調整用チャートを一度に読み取る。ＣＰＵ６０７は、読取装置２０４から調整用チャートの読取結果を取得する（Ｓ１５０３）。
【００８８】
ＣＰＵ６０７は、調整用チャートの読取結果に基づいて、シートの端部及びマーク１３２０の位置を抽出し、図１３に示す距離Ａ〜Ｖを取得する。ＣＰＵ６０７は、取得した距離Ａ〜Ｖにより、図１４の計算式に基づいて印字位置ずれ量を算出する（Ｓ１５０４）。ＣＰＵ６０７は、算出した印字位置ずれ量をストレージ６１５に格納する。
【００８９】
ＣＰＵ６０７は、位置ずれ量の算出を、Ｓ１５０１の処理で取得した枚数分（ｎ枚分）行ったかを判断する（Ｓ１５０５）。位置ずれ量の算出がｎ枚分行われていない場合（Ｓ１５０５：N）、ＣＰＵ６０７は、位置ずれ量の算出をｎ枚分行うまで、Ｓ１５０２〜Ｓ１５０４の処理を繰り返し行う。
【００９０】
位置ずれ量の算出がｎ枚分行われた場合（Ｓ１５０５：Y）、ＣＰＵ６０７は、ストレージ６１５に格納した位置ずれ補正量の平均値を算出する（Ｓ１５０６）。ＣＰＵ６０７は、算出した平均値を、オペレータが図１１のインタフェース画面から選択したシートの印字位置ずれ量としてストレージ６１５に記憶する（Ｓ１５０７）。Ｓ１５０７の処理においてＣＰＵ６０７は、ストレージ６１５に格納される用紙ライブラリの印字位置ずれ量の情報を更新する。以上のようにして決定された印字位置ずれ量に基づいて、ＣＰＵ６０７は、同じ種類のシートへの画像形成時に、画像の形成位置（印字位置）を調整する。
【００９１】
（確認プリント）
図１６は、画像形成装置２０２の操作パネル３２３に表示されるジョブ状況画面の例示図である。ジョブ状況画面は、画像形成システム１０１における印刷ジョブの実行状況を表示する。ジョブ状況画面は、ジョブ状況表示部１６０１に印刷ジョブの実行状況を表示する。図１６の例では、ジョブ状況表示部１６０１に２つの印刷ジョブのジョブ状況（受付番号、受付時刻、ジョブ名、状況）が表示される。ジョブ状況画面には、「詳細情報」ボタン１６０２、「中止」ボタン１６０３、及び「確認プリント」ボタン１６０４が設けられる。
【００９２】
「詳細情報」ボタン１６０２は、印刷ジョブの詳細情報を表示する際に押下される。「詳細情報」ボタン１６０２が押下されることで、印刷済みのページ数等のジョブ状況表示部１６０１に表示されていない、印刷ジョブの詳細な実行状況が表示される。「中止」ボタン１６０３は、印刷ジョブを中止する際に押下される。ジョブ状況表示部１６０１において印刷ジョブが選択された後に「中止」ボタン１６０３が押下されることで、該選択された印刷ジョブが中止される。「確認プリント」ボタン１６０４は、確認プリントを実行する際に押下される。ジョブ状況表示部１６０１において印刷ジョブが選択された後に「確認プリント」ボタン１６０４が押下されることで、図１７に例示する確認プリント画面が、操作パネル３２３に表示される。なお、「確認プリント」ボタン１６０４は、選択された印刷ジョブが「プリント中」である場合に押下可能となる。選択された印刷ジョブが「プリント中」ではない場合、「確認プリント」ボタン１６０４はグレイアウト処理されて、押下できないようになっている。
【００９３】
図１７に例示する確認プリント画面は、確認プリントの種類を選択可能な画面である。確認プリントの種類には、「全ページ」ボタン１７０１、「１枚（自動）」ボタン１７０２、及び「印字位置確認プリント」ボタン１７０３がある。確認プリントの種類はいずれか１つが選択可能になっており、複数の同時選択が不可となっている。「キャンセル」ボタン１７０４は、確認プリントを実行しない場合に押下される。「キャンセル」ボタン１７０４が押下されることで、確認プリント画面がジョブ状況画面に切り替わる。「プリント開始」ボタン１７０５は、確認プリントを実行する際に押下される。「プリント開始」ボタン１７０５が押下されることで、選択された確認プリントの種類に応じた確認プリントが実行される。また、「プリント開始」ボタン１７０５が押下されることで、確認プリント画面がジョブ状況画面に切り替わる。
【００９４】
具体的には、以下のような動作になる。「全ページ」ボタン１７０１の選択後に「プリント開始」ボタン１７０５が押下される場合、印刷ジョブの１部相当分の枚数のシートが確認プリントとして出力される。例えば１部が１０ページの構成で１００部を印刷する印刷ジョブでは、１０ページ分のシートが確認プリントとして出力される。「１枚（自動）」ボタン１７０２の選択後に「プリント開始」ボタン１７０５が押下される場合、「プリント開始」ボタン１７０５の押下タイミングに応じて、印刷ジョブの所定の１ページ分の画像が印刷されたシートが確認プリントとして出力される。例えば１部が１０ページの構成で１００部を印刷する印刷ジョブでは、１〜１０ページ目のいずれかの１ページの画像が印刷されたシートが確認プリントとして出力される。
【００９５】
「印字位置確認プリント」ボタン１７０３の選択後に「プリント開始」ボタン１７０５が押下される場合は、後述の印字位置確認プリント処理が実行される。
【００９６】
（印字位置確認プリント処理）
図１８は、画像形成システム１０１による確認プリント処理を表すフローチャートである。この処理では、図１６のジョブ状況画面及び図１７の確認プリント画面を用いて、確認プリントに必要な枚数のシートを出力する。
【００９７】
ＣＰＵ６０７は、オペレータが情報処理装置１０２の表示装置７０２に表示されるジョブ管理アプリケーション画面（図９参照）から印刷を指示するまで待機する（Ｓ１８０１：N）。オペレータがジョブ管理アプリケーションから印刷を指示すると、情報処理装置１０２から画像形成システム１０１へ印刷ジョブが送信される。これによりＣＰＵ６０７は、印刷ジョブを受信する（Ｓ１８０１：Y）。ＣＰＵ６０７は、受信した印刷ジョブに応じて、プリンタ制御部６０６に印刷を指示する。これにより画像形成装置２０２は、印刷を開始する（Ｓ１８０２）。Ｓ１８０２の処理において、印刷ジョブに基づく画像が印字位置調整の実行されたシートに印刷される場合、ＣＰＵ６０７は、ストレージ６１５の用紙ライブラリに記憶された当該シートの印字位置ずれ量に基づいて、画像形成位置を調整する。具体的には、画像の書き出しタイミング等を補正することによって、画像形成位置を調整する。そして、ＣＰＵ６０７は、印刷ジョブの実行中に確認プリントの実行指示を待機する（Ｓ１８０３）。
【００９８】
オペレータは、確認プリントを実行する場合に、操作パネル３２３にジョブ状況画面を表示させてプリント中の印刷ジョブを選択し、「確認プリント」ボタン１６０４を押下する。「確認プリント」ボタン１６０４の押下により、操作パネル３２３には確認プリント画面が表示される。オペレータが確認プリントの種類を１つ選択した後に「プリント開始」ボタン１７０５を押下することで、ＣＰＵ６０７は、確認プリントの実行指示を取得する（Ｓ１８０３：Y）。ここで、ＣＰＵ６０７は、ユーザ指示を取得する取得手段として機能する。確認プリントの実行指示には、ジョブ状況画面で選択された印刷ジョブ及び確認プリント画面で選択された確認プリントの種類を表す情報が含まれる。なお、印刷ジョブの実行中に確認プリントの実行指示を取得しない場合（Ｓ１８０３：N）、ＣＰＵ６０７は、印刷ジョブの終了により、確認プリント処理を終了する。
【００９９】
確認プリントの実行指示を取得したＣＰＵ６０７は、当該確認プリントの実行指示により、オペレータが選択した確認プリントの種類が印字位置確認プリントであるかを判断する（Ｓ１８０４）。確認プリントの種類が印字位置確認プリントである場合（Ｓ１８０４：Y）、ＣＰＵ６０７は、印字位置確認プリント処理を実行する（Ｓ１８０５）。印字位置確認プリント処理が終了すると、ＣＰＵ６０７は、確認プリント処理を終了する。
【０１００】
確認プリントの種類が印字位置確認プリントではない場合（Ｓ１８０４：N）、ＣＰＵ６０７は、確認プリントの種類が全ページの確認プリントであるかを判断する（Ｓ１８０６）。確認プリントの種類が全ページの確認プリントである場合（Ｓ１８０６：Y）、ＣＰＵ６０７は、確認プリントの実行指示に含まれる印刷ジョブの情報とＲＩＰ処理された画像データとに基づいて、１部相当分の枚数のシートに確認プリントを行う（Ｓ１８０７）。確認プリントにより、１部相当分の画像に基づく画像が形成された１部相当分の枚数のシートが、エスケープトレイ４０４に出力される。シートが出力されるとＣＰＵ６０７は、確認プリント処理を終了する。
【０１０１】
確認プリントの種類が全ページの確認プリントではない場合（Ｓ１８０６：N）、ＣＰＵ６０７は、現在印刷しているページの画像に基づく画像をシートに印刷することで確認プリントを行う（Ｓ１８０８）。確認プリントにより、現在印刷しているページに基づく画像が形成されたシートが、エスケープトレイ４０４に出力される。シートが出力されるとＣＰＵ６０７は、確認プリント処理を終了する。
【０１０２】
図１９は、Ｓ１８０５の印字位置確認プリント処理を表すフローチャートである。ＣＰＵ６０７は、Ｓ１８０３の処理で取得した確認プリントの実行指示に含まれる印刷ジョブ及び確認プリントの種類を表す情報に基づいて、印字位置確認プリント処理を実行する。
【０１０３】
ＣＰＵ６０７は、印字位置確認プリントを行うシートが、印字位置調整を行われているかを判断する（Ｓ１９０１）。Ｓ１９０１の処理において、ＣＰＵ６０７は、印刷ジョブに基づき、画像が印刷されるシートを決定し、用紙ライブラリに格納された当該シートの印字位置ずれ量の情報が存在するか否かを判定する。印字位置ずれ量の情報が存在しなければ、ＣＰＵ６０７は、当該シートを用いて印字位置調整が実行されていないと判定する。印字位置調整を行われていない場合（Ｓ１９０１：N）、ＣＰＵ６０７は、現在印刷している１ページ分の画像データに基づいて確認プリントを行う（Ｓ１９０２）。Ｓ１９０２の処理において、ＣＰＵ６０７は、画像形成システム１０１を制御し、確認プリントにおいて画像が形成されたシートをエスケープトレイ４０４へ搬送させる。確認プリントにおいて画像が形成されたシートは、エスケープトレイ４０４に出力される。シートが出力されるとＣＰＵ６０７は、印字位置確認プリント処理を終了する。
【０１０４】
印字位置調整が行われている場合（Ｓ１９０１：Y）、ＣＰＵ６０７は、現在実行中の印刷ジョブの種類を判断する（Ｓ１９０３）。ＣＰＵ６０７は、例えば、確認プリントの実行指示に含まれる印刷ジョブを表す情報により、現在実行中の印刷ジョブの種類を判断する。本実施形態では、ＣＰＵ６０７は、現在実行中の印刷ジョブに中綴じ等の製本印刷が設定されているかを判断する。製本印刷では、見開きページ等のシート間の印字位置を確認する必要がある。そのために、ＣＰＵ６０７は、シート間の印字位置の確認が必要な印刷ジョブの種類を判断する。
【０１０５】
印刷ジョブの種類が製本印刷等ではない場合（Ｓ１９０３：その他）、ＣＰＵ６０７は、確認プリントに必要なシートの枚数を判断し、プリンタ制御部６０６に、その枚数分のシートに確認プリントを行わせるように指示する（Ｓ１９０４）。ＣＰＵ６０７は、確認プリントに必要なシートの枚数を、用紙ライブラリを参照することで判断する。例えば確認プリントに必要なシートの枚数は、現在印刷している印刷ジョブが行１２０１（ＡＢＣ製紙リサイクル１）のシートを用いる場合は１枚、行１２０４（ＤＥＦ製紙 コート紙Ｐ−１）のシートを用いる場合は２枚となる。確認プリントにより画像が形成されたシートは、エスケープトレイ４０４に出力される。シートが出力されると、ＣＰＵ６０７は、印字位置確認プリント処理を終了する。
【０１０６】
ジョブの種類が製本印刷等である場合（Ｓ１９０３：製本等）、ＣＰＵ６０７は、プリンタ制御部６０６に、現在印刷しているページに連続する２ページの画像に基づく画像の確認プリントを指示する（Ｓ１９０５）。確認プリントにより２ページの画像に基づく画像が形成された２枚のシートは、エスケープトレイ４０４に出力される。シートが出力されると、ＣＰＵ６０７は、印字位置確認プリント処理を終了する。
【０１０７】
以上のように、印刷されるシートの種類及び印刷ジョブの種類に応じて適切な枚数のシートに確認プリントを行うことで、オペレータは、印字位置の確認を素早く容易に行うことができるようになる。図２０は、確認プリントにより同一ページの画像を２枚のシートに連続して形成した場合の印字位置の確認方法の説明図である。１枚目のシートの表面２００１、１枚目のシートの裏面２００２、２枚目のシートの表面２００３に、それぞれ印字位置確認用の線２００４が印字される。オペレータは、図２０に示すように、１枚目のシートを捲って線２００４を確認することで、表裏印字位置が合っているかを目視で判断することができる。製本等のページ間の確認の同様に行われる。
【０１０８】
図２０のような印字位置確認のための線２００４は、確認プリント時にシートへの印字を行うための画像データに含まれない場合がある。この場合、線２００４の画像データを合成して確認プリントを行う。
【０１０９】
図２１は、この場合のＳ１８０５の印字位置確認プリント処理を表すフローチャートである。図１９のＳ１９０１、１９０２の処理の場合と同様に、ＣＰＵ６０７は、印字位置調整が行われていない場合に（Ｓ２１０１：N）、現在印刷しているページの画像に基づく画像をシートに印刷することで確認プリントを行う（Ｓ２１０２）。確認プリントにより、現在印刷しているページに基づく画像が形成されたシートが、エスケープトレイ４０４に出力される。シートが出力されるとＣＰＵ６０７は、印字位置確認プリント処理を終了する。
【０１１０】
印字位置調整が行われている場合（Ｓ２１０１：Y）、ＣＰＵ６０７は、印字位置確認のための線が、確認プリント時にシートへの印字を行うための画像データに含まれていないかを判断する（Ｓ２１０３）。具体的には、ＣＰＵ６０７は、確認プリント時の画像データに含まれるオブジェクトに線を示すデータが含まれているか、また、シートの表裏で同じ位置に印字されるように配置されているかを判断する。
【０１１１】
印字位置確認のための線が画像データに含まれていない場合（Ｓ２１０３：Y）、ＣＰＵ６０７は、ネットワーク１０３を介して、情報処理装置１０２に確認プリントを行うページの画像に対して線を合成した画像を要求する（Ｓ２１０４）。情報処理装置１０２は、ＲＩＰ処理部８０９により確認プリントを行う画像に対して線を合成した画像の画像データを生成し、画像形成装置２０２へ送信する。これにより画像形成装置２０２は、確認プリントを行うページの画像に対して線を合成した画像の画像データを取得することができる。なお、Ｓ２１０３の処理を省略して、ＣＰＵ６０７は、シートが印字位置調整済みである場合に直ちにＳ２１０４の処理を行うようにしてもよい。
【０１１２】
ＣＰＵ６０７は、確認プリントを行うページの画像に対して線を合成した画像の画像データを取得すると、図１９のＳ１９０３〜Ｓ１９０５以降の処理と同様の処理により確認プリントを行ったシートを出力する（Ｓ１２０５〜Ｓ１２０７）。ＣＰＵ６０７は、印字位置確認のための線が画像データに含まれている場合にも（Ｓ２１０３：N）、図１９のＳ１９０３〜Ｓ１９０５以降の処理と同様の処理により確認プリントを行ったシートを出力する（Ｓ１２０５〜Ｓ１２０７）。確認プリントを行ったシートを出力したＣＰＵ６０７は、印字位置確認プリント処理を終了する。
【０１１３】
以上のような処理では、印字位置確認のための目安となる線２００４を合成して確認プリントが行われ、オペレータは、印字位置の確認を素早く容易に行うことができるようになる。なお、ＲＩＰ処理部８０９を画像形成装置２０２に設けて、画像形成装置２０２内でＳ２１０４の処理を行うようにしてもよい。
【図１】
2018084597.tif 000003
【図２】
2018084597.tif 000004
【図３】
2018084597.tif 000005
【図４】
2018084597.tif 000006
【図５】
2018084597.tif 000007
【図６】
2018084597.tif 000008
【図７】
2018084597.tif 000009
【図８】
2018084597.tif 000010
【図９】
2018084597.tif 000011
【図１０】
2018084597.tif 000012
【図１１】
2018084597.tif 000013
【図１２】
2018084597.tif 000014
【図１３】
2018084597.tif 000015
【図１４】
2018084597.tif 000016
【図１５】
2018084597.tif 000017
【図１６】
2018084597.tif 000018
【図１７】
2018084597.tif 000019
【図１８】
2018084597.tif 000020
【図１９】
2018084597.tif 000021
【図２０】
2018084597.tif 000022
【図２１】
2018084597.tif 000023